(57)【特許請求の範囲】
【請求項１】
第１および第２の画像形成装置の各々と通信を行なう通信手段と、
前記通信手段を用いて、前記第１および第２の画像形成装置の各々における環境と設定値との設定関係の情報を入手する第１の入手手段と、
前記通信手段を用いて、前記第１および第２の画像形成装置の各々に設定されている設定値を入手する第２の入手手段と、
前記第１および第２の入手手段を用いて入手された、前記第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成手段と、
前記設定値生成手段で生成した設定値を、自機に設定する設定手段とを備えた、画像形成装置。
【請求項２】
前記設定手段は、前記設定値生成手段によって生成した値を自動で設定する、請求項１に記載の画像形成装置。
【請求項３】
前記設定手段は、前記設定値生成手段によって生成した複数の値を、設定すべき選択候補として表示する、請求項１または２に記載の画像形成装置。
【請求項４】
前記設定値生成手段は、複数ある設定値候補からデフォルト値に近いものを優先的に選択する、請求項１から３のいずれかに記載の画像形成装置。
【請求項５】
前記設定値生成手段は、複数ある設定値候補から自機のモデルに近い機種の値を優先的に選択する、請求項１から３のいずれかに記載の画像形成装置。
【請求項６】
前記設定値生成手段は、複数ある設定値候補から設定日時が新しい値を優先的に選択する、請求項１から３のいずれかに記載の画像形成装置。
【請求項７】
前記設定手段による設定は、装置がネットワーク環境に設置されたときに実行される、請求項１から６のいずれかに記載の画像形成装置。
【請求項８】
他の装置の設定値が変更されたことを監視する設定値監視手段をさらに備え、
前記設定手段による設定は、前記設定値監視手段により他の装置の設定値が変更されたことが検出されたときに実行される、請求項１から７のいずれかに記載の画像形成装置。
【請求項９】
前記通信手段を用いて、装置の設定値が変更されたことを他の装置にアナウンスする設定値変更連絡手段をさらに備え、
前記設定手段による設定は、他の装置の前記設定値変更連絡手段からの情報に基づき、他の装置の設定値が変更されたことを検出したときに実行される、請求項１から８のいずれかに記載の画像形成装置。
【請求項１０】
第１および第２の画像形成装置の各々と通信を行ない、前記第１および第２の画像形成装置の各々における環境と設定値との設定関係の情報を入手する第１の入手ステップと、
前記第１および第２の画像形成装置の各々と通信を行ない、前記第１および第２の画像形成装置の各々に設定されている設定値を入手する第２の入手ステップと、
前記第１および第２の入手ステップで入手された、前記第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成ステップと、
前記設定値生成ステップで生成した設定値を、自機に設定する設定ステップとを備えた、画像形成装置の制御方法。
【請求項１１】
第１および第２の画像形成装置の各々と通信を行ない、前記第１および第２の画像形成装置の各々における環境と設定値との設定関係の情報を入手する第１の入手ステップと、
前記第１および第２の画像形成装置の各々と通信を行ない、前記第１および第２の画像形成装置の各々に設定されている設定値を入手する第２の入手ステップと、
前記第１および第２の入手ステップで入手された、前記第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成ステップと、
前記設定値生成ステップで生成した設定値を、自機に設定する設定ステップとをコンピュータに実行させる、画像形成装置の制御プログラム。
【発明の詳細な説明】
【技術分野】
【０００１】
この発明は画像形成装置、画像形成装置の制御方法、および画像形成装置の制御プログラムに関し、特に画像形成装置の装置パラメータの自動設定制御を行なう画像形成装置、画像形成装置の制御方法、および画像形成装置の制御プログラムに関する。
【背景技術】
【０００２】
画像形成装置（ＭＦＰ（Multi Function Peripheral）、ファクシミリ装置、複写機、プリンタなど）をＬＡＮなどのネットワークに接続してシステム環境を構成することが知られている。
【０００３】
このようなシステムにおいて、画像形成装置を買い替えたり追加したりする場合には、ユーザ設定パラメータや、サービス設定パラメータ等の各種設定パラメータが、設置環境に合わせて、人手によりその都度設定されていた。また、複数の装置が既に設置されている環境で、環境パラメータの設定変更を実施するためには、装置個々において設定を変更する必要があった。
【０００４】
下記特許文献１は、ネットワークを介して他の画像形成装置と通信して操作履歴を収集し、自機と他機の操作履歴を統合する画像形成装置を開示する。操作パネルに表示された統合操作履歴から、所望の設定が選択されて使用される。画像を出力するときの操作履歴を他の画像形成装置でも共有することで、ユーザ操作を簡素化することができる。
【０００５】
下記特許文献２は、デジタル複写機を新規設置する際、他の複写機と同じ使用環境（設定）とするまでの時間を短縮することができる画像形成装置を開示している。特許文献２には、新設時に画像形成装置において専用設定画面が起動し、登録までをユーザの選択操作で実施することが記載されている。また、検索する既設装置のネットワークアドレスの範囲を指定することが記載されている。アドレスが直接分からない場合に検索を行なうものである。
【特許文献１】特開２００５−２９７４８８号公報
【特許文献２】特開平１１−３２１０４０号公報
【発明の開示】
【発明が解決しようとする課題】
【０００６】
従来技術における人手による初期設定は、ユーザが操作に慣れていない場合はかなりの時間が掛かり、煩わしいという問題がある。
【０００７】
また、サービスマンによる特殊操作が必要な環境設定は、装置を追加設置する毎に、または特定のタイミングで行なわれる必要がある。
【０００８】
自社機を買い替えたり追加した場合、ＬＡＮ等の装置間ネットワークで接続された同じ設定パラメータを持つ同一機種や類似機種からパラメータをコピーすることが考えられる。
【０００９】
しかしこの場合においても、同じ設定パラメータを持つ機種がネットワーク上に無ければ設定パラメータのコピーができず、人手によるパラメータの設定対応が必要である。
【００１０】
この発明はそのような問題点を解決するためになされたものであり、設定を容易に行なうことができ、ユーザの操作を簡略化することができる画像形成装置、画像形成装置の制御方法、および画像形成装置の制御プログラムを提供することを目的としている。
【課題を解決するための手段】
【００１１】
上記目的を達成するためこの発明のある局面に従うと、画像形成装置は、第１および第２の画像形成装置の各々と通信を行なう通信手段と、通信手段を用いて、第１および第２の画像形成装置の各々における環境と設定値との設定関係の情報を入手する第１の入手手段と、通信手段を用いて、第１および第２の画像形成装置の各々に設定されている設定値を入手する第２の入手手段と、第１および第２の入手手段を用いて入手された、第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成手段と、設定値生成手段で生成した設定値を、自機に設定する設定手段とを備える。
【００１４】
好ましくは設定手段は、設定値生成手段によって生成した値を自動で設定する。
【００１５】
好ましくは設定手段は、設定値生成手段によって生成した複数の値を、設定すべき選択候補として表示する。
【００１６】
好ましくは設定値生成手段は、複数ある設定値候補からデフォルト値に近いものを優先的に選択する。
【００１７】
好ましくは設定値生成手段は、複数ある設定値候補から自機のモデルに近い機種の値を優先的に選択する。
【００１８】
好ましくは設定値生成手段は、複数ある設定値候補から設定日時が新しい値を優先的に選択する。
【００２０】
好ましくは設定手段による設定は、装置がネットワーク環境に設置されたときに実行される。
【００２１】
好ましくは画像形成装置は、他の装置の設定値が変更されたことを監視する設定値監視手段をさらに備え、設定手段による設定は、設定値監視手段により他の装置の設定値が変更されたことが検出されたときに実行される。
【００２２】
好ましくは画像形成装置は、通信手段を用いて、装置の設定値が変更されたことを他の装置にアナウンスする設定値変更連絡手段をさらに備え、設定手段による設定は、他の装置の設定値変更連絡手段からの情報に基づき、他の装置の設定値が変更されたことを検出したときに実行される。
【００２３】
この発明の他の局面に従うと、画像形成装置の制御方法は、第１および第２の画像形成装置の各々と通信を行ない、第１および第２の画像形成装置の各々における環境と設定値との設定関係の情報を入手する第１の入手ステップと、第１および第２の画像形成装置の各々と通信を行ない、第１および第２の画像形成装置の各々に設定されている設定値を入手する第２の入手ステップと、第１および第２の入手ステップで入手された、第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成ステップと、設定値生成ステップで生成した設定値を、自機に設定する設定ステップとを備える。
【００２４】
この発明のさらに他の局面に従うと、画像形成装置の制御プログラムは、第１および第２の画像形成装置の各々と通信を行ない、第１および第２の画像形成装置の各々における環境と設定値との設定関係の情報を入手する第１の入手ステップと、第１および第２の画像形成装置の各々と通信を行ない、第１および第２の画像形成装置の各々に設定されている設定値を入手する第２の入手ステップと、第１および第２の入手ステップで入手された、第１および第２の画像形成装置に設定されている設定値に基づいて、自機に適した設定値であって、高地対応パラメータ、フリッカ対応設定パラメータ、および白抜け対応設定パラメータの少なくとも１つの設定値を生成する設定値生成ステップと、設定値生成ステップで生成した設定値を、自機に設定する設定ステップとをコンピュータに実行させる。
【発明の効果】
【００２５】
これらの発明に従うと、設定を容易に行なうことができ、ユーザの操作を簡略化することができる画像形成装置、画像形成装置の制御方法、および画像形成装置の制御プログラムを提供することが可能となる。
【発明を実施するための最良の形態】
【００２６】
以下、本発明の実施の形態における画像形成装置について説明する。
【００２７】
画像形成装置は、ネットワーク経由でその画像形成装置と同じ製造元の画像形成装置（自社機）を探索（または指定）する。画像形成装置は、当該自社機からあらかじめ設定された特定の情報を取得する。画像形成装置は、取得した情報から最適化した値を求め、それを設定する。すなわち、予め設定された情報を最適化して自機の設定値に反映させるものである。画像形成装置同士の通信には、有線、無線、光などが用いられる。
【００２８】
これにより、自社機を複数使用しているユーザに対し、ユーザの設定を簡素化することができる。
【００２９】
図１は、本発明の実施の形態の１つにおける画像形成装置の基本構成を示す図である。
【００３０】
図を参照して画像形成装置は、書込み部（プリントヘッド）１０３と、プロセスユニット部１０６と、転写ベルトユニット部１０２と、トナーカートリッジ部１０７〜１１０と、給紙部１０４，１０５と、定着部１０１とを備える。
【００３１】
書込み部（プリントヘッド）１０３は、レーザーダイオード、ポリゴンモータ、ＳＯＳセンサ、ミラー、レンズ類で構成され、プロセスユニット部のバイアス電位が印加された感光体面上にレーザー光を照射し、感光体上に静電潜像を形成する。
【００３２】
プロセスユニット部１０６は、Ｙ色、Ｍ色、Ｃ色、Ｋ色用の４つの感光体ユニットで構成され、各色毎に感光体面上に帯電電位を形成した後、プリントヘッドのレーザー光により感光体に静電潜像を形成し、トナーカートリッジ部１０７〜１１０により、各色毎に供給されたトナーを感光体に付着させ可視像を形成する。
【００３３】
トナーカートリッジ部１０７〜１１０は、Ｙ色、Ｍ色、Ｃ色、Ｋ色用の４つのトナーカートリッジで構成され、プロセスユニット部の各色毎にトナーを供給する。
【００３４】
転写ベルトユニット部２は、転写ベルト、転写ローラ、駆動ローラ、クリーニング機構、センサ類で構成され、感光体に形成されたＹ、Ｍ、Ｃ、Ｋの可視像を転写ベルトに転写し、フルカラートナー画像を形成する。
【００３５】
図示しない二次転写部にて、転写ベルトに形成されたフルカラートナー画像が、給紙部１０４，１０５から給紙搬送される用紙に転写される。
【００３６】
定着部１０１は、加熱ローラ、加圧ベルト、ヒーターランプ、サーミスタ等で構成され、２次転写部にて用紙に転写されたトナー像を熱により用紙に固着させて排紙を行う。
【００３７】
図２は、ネットワーク上に画像形成装置が複数配置されている状態を示す図である。
【００３８】
ローカルネットワーク（ＬＡＮ）上には、自社機Ａ，Ｂ，Ｃと他社機Ｄ，Ｅが接続されているものとする。図２では、このネットワーク環境に、新たに自社機Ｘが設置された状態を示している。
【００３９】
自社機同士はネットワークを介して情報の交換が可能であるが、他社機とは、制御ソフトウエアの互換性がないため、情報交換することはできない。
【００４０】
画像形成装置間の情報交換ネットワークは、有線ＬＡＮ、無線ＬＡＮ、赤外線ＬＡＮ、商用電力線を用いたＬＡＮ等、様々な通信方法にて実現可能である。
【００４１】
図３は、画像形成装置の制御装置のブロック図である。
【００４２】
画像形成装置は、任意の画像を光学式に読取って電子データに変換する画像入力部（スキャナ）１と、画像データを所定の用紙に印刷する画像出力部（プリンタ）２とを備える。また、内部にＲＯＭ８、ワークメモリ９、および制御部７を有する。
【００４３】
画像形成装置はさらに、ＬＡＮまたは電話回線を通じて外部との間で通信を行なう通信部１０と、画像入力部１で入力し、または通信部１０を介して外部から与えられた画像データを一時的に格納する画像メモリ部３と、種々の操作入力を行なうとともに、操作にかかわる種々の設定情報等を表示する操作／表示部４と、画像データの圧縮および復号を行なう圧縮／復号部５と、電子メールの送受信を行うメーラ（電子メール送受信用アプリケーション）６と、画像データのファイル形式および電子メールファイル形式等の種々のファイル変換を行うファイル変換部１２と、外部接続用の外部インターフェイス部１１とを備える。
【００４４】
なお実際には、ワークメモリ９と画像メモリ部３には、同一の揮発性メモリが共用される。操作／表示部４でユーザが指令したことに応じて与えられる操作信号に基づいて、制御部７は、ＲＯＭ８内に予め格納されたソフトウェアプログラムに従って動作する。この画像処理装置内のソフトウェアプログラムの実行手順については後述する。
【００４５】
画像入力部１は、ＣＣＤ等のイメージセンサ、スライダ制御部、各種画像処理制御部等により構成され、原稿を光学的に読取り、電気信号に変換する。
【００４６】
画像出力部２は、レーザやインクジェット等のエンジン制御部、各種画像処理制御部等により構成され、電気信号から記録紙上への出力画像を作成する。
【００４７】
画像メモリ部３は、画像入力部１により入力した画像データや、通信部１０、外部インターフェイス部１１から入力した画像データを格納する。また、画像データを圧縮／復号部５により圧縮処理した後、符号データを格納する。
【００４８】
操作／表示部４は、テンキーやスタートキー、ＬＣＤ（液晶表示器）等などから構成されるユーザインタフェイス部であり、モードの選択や簡単なキー入力操作を行う。
【００４９】
圧縮／復号部５は、入力された画像データを必要に応じて圧縮し、または符号データを伸張する。
【００５０】
制御部７は、各ブロック１〜１３の全体を制御するＣＰＵおよび周辺回路からなり、システムバスを介して接続されている。また制御部７は、制御プログラムや制御データを格納するＲＯＭや制御変数等の一時記憶用に使用されるＲＡＭなどに接続されている。
【００５１】
通信部１０は、モデムやＮＣＵを用いて電話回線を用いた通信手段や、図示しないＬＡＮ制御部を介してネットワークに接続し、他の通信装置との間で画像情報等の送受信を行う。
【００５２】
ユーザ認証部１３は、複数のユーザのそれぞれに対する認証情報を保持／設定する。
【００５３】
図４は、画像形成装置の実行する制御を示すフローチャートである。
【００５４】
本フローチャートは、ネットワーク上に少なくとも１台の情報交換可能な自社機（画像形成装置）が接続されている環境において、新たに設置された画像形成装置の制御フローを示す。すなわち、図２における自社機Ｘの実行する制御フローである。
【００５５】
図を参照してステップＳ１０１において、新設の装置がネットワーク環境に接続された後、電源が投入されたものとする。ステップＳ１０３において、当該新設の装置は、ネットワーク上に通信可能な自社機が有るか無いかを検出する。
【００５６】
ネット上に既設の自社機が存在しない場合（Ｓ１０３でＮＯ）は、ステップＳ１１１へ移行し、既設の自社機を検出できた場合は、ステップＳ１０５へ移行する。
【００５７】
ステップＳ１０５において、新設の装置は少なくとも１台以上の既設の自社機と通信を行ない、所望の設定パラメータを取得する。
【００５８】
取得するパラメータとしては、例えば、高地対応設定パラメータ、フリッカ処理パラメータ、白抜け対応パラメータ等がある。
【００５９】
ここに高地対応設定パラメータとは、設置環境の気圧に最適なトナーの転写電流を設定するためのパラメータである。フリッカ処理パラメータとは、消費電流の変動を抑える制御の変更パラメータである。また、白抜け対応パラメータとは、画像の白抜けレベルを変更するためのパラメータである。但し取得するパラメータは、これら高地対応パラメータ、フリッカ制御パラメータ、白抜け対応パラメータに限定するものではない。複数段階または無段階で調整可能な制御パラメータ全般に対して取得をすることができる。１台または複数台の既設自社機から設定パラメータを入手したのであれば、ステップＳ１０７へ移行する。
【００６０】
ステップＳ１０７およびＳ１０９において、既設の自社機が新設の装置と同一モデルであれば、既設の自社機の設定パラメータを新設の装置にコピーするだけで設定が完了する。但し、多くの場合、既設の自社機と新設の装置とでは、機種が異なる。機種が異なればそれぞれ装置毎に印刷速度や使用トナーの種類が異なるため、パラメータは同一ではない。そこでステップＳ１０７においては、パラメータの最適化を実施する。パラメータの最適化処理については後述する。パラメータの最適化が完了したら、ステップＳ１０９へ移行する。
【００６１】
ステップＳ１０９において、最適化にて抽出されたパラメータを新設の装置自身のパラメータとして設定し、記憶する。設定が完了すると、本制御を終了する。
【００６２】
なお、ネットワーク上に既設自社機が存在しない場合（Ｓ１０３でＮＯ）は、パラメータの自動取得が出来ないため、ステップＳ１１１へ移行し、手動設定にて対応する。手動設定は、装置の操作パネル（図３の操作／表示部４）を用いて実施される。具体的な設定方法は既知であるため、ここでの説明は省略する。
【００６３】
このフローチャートにより、接続されたネットワーク環境に既設の自社機がある場合、最適な環境パラメータを新設の装置に自動設定することができる。このため、人手を煩わすことなく、装置に最適画質の設定を行なうことが可能となる。
【００６４】
なお、図４のフローチャートを実行する際に、自動設定を完全に装置任せにして、自動で最適パラメータが設定されたことをユーザに通知することなく終了しも良いし、自動で最適パラメータを設定したことを、操作パネルへのメッセージ表示等でユーザに通知しても良い。更に、求めたパラメータを装置に設定してよいか否かを、操作パネル等に表示し、ユーザに設定の実行を選択させても良い。
【００６５】
図５は、図４のパラメータの最適化処理（Ｓ１０７）の具体例を説明するための図である。
【００６６】
ここでは、新設の装置（新設機Ｘ）が、互いが機種の異なる既設機Ａと既設機Ｂとから設定パラメータを得て、その２つの設定パラメータの情報を最適化し、新設機Ｘの最適パラメータに変換する処理例を示している。
【００６７】
新設機Ｘは、最適化実施の前に、予め既設機Ａおよび既設機Ｂにおける、環境とパラメータとの設定関係の情報を入手しておく。既設機Ａと既設機Ｂとの特定の設定パラメータが図５の表のように異なっていることを想定する。
【００６８】
例えば表では、既設機Ａのパラメータは、環境により、“１”、“７”、“１３”の３段階の設定が可能となっている。また、既設機Ｂのパラメータは、環境により、“１”、“５”、“９”、“１３”、“１７”の５段階の設定が可能となっている。
【００６９】
一方、新設機Ｘのパラメータは、環境により、“２”、“４”、“６”、“８”、“１０”、“１２”、“１４”、“１６”、“１８”の９段階の設定が可能であることを示している。すなわち、既設機Ａ、既設機Ｂ、新設機Ｘの順に、環境に対して細かく対処することが可能であり、パラメータを精度よく設定することができる。
【００７０】
図６は、図５の環境とパラメータとの関係を纏めたグラフを示す図である。
【００７１】
グラフにおいて、横軸は環境を示し、縦軸は各機器のパラメータを示している。
【００７２】
例えば、既設機Ａに設定されているパラメータが“７”、既設機Ｂに設定されているパラメータが“５”であった場合を想定する。
【００７３】
既設機Ａのパラメータが“７”であることから、環境は［４］、［５］または［６］のいずれかであることが分かる。また、既設機Ｂのパラメータが“５”であることから、環境は［３］または［４］であることが分かる。よって、既設機Ａ及び既設機Ｂから、設置環境は、両機に共通の［４］であるものと推定する。新設機Ｘは、推定された環境を自己のパラメータ表と照らしあわせる。ここでは、環境［４］には、パラメータ“８”が対応するため、それを最適パラメータとして求めることができる。
【００７４】
なお、上述した例では、２台の既設機のパラメータから、新設機のパラメータをひとつに特定できたが、既設機が１台しかない場合や、複数の既設機があっても条件が整わず、パラメータをひとつに特定できない場合が生じる。このような場合には、変更による影響のより小さい、デフォルト寄りの値を最適値として抽出すればよい。
【００７５】
具体的には、既設機Ａしかなく、既設機Ａのパラメータが“７”であった場合を想定する。既設機Ａのパラメータが“７”であることから、環境は［４］、［５］または［６］のいずれかであることまでは分かる。
【００７６】
図５において、新設機Ｘのデフォルトの環境は［１］（パタメータは“２”）である。そこで、環境［１］に近い環境［４］を採用する。新設機Ｘは、自己のパラメータ表と照らしあわせ、環境［４］に対するパラメータ“８”が最適パラメータとして求められる。
【００７７】
図７は、図４のパラメータの最適化処理（Ｓ１０７）の具体例を説明するためのフローチャートである。
【００７８】
図を参照して、ステップＳ２０１において、既設機Ａに設定されているパラメータを取得し、それに基づき環境を得る。ステップＳ２０３において、既設機Ｂに設定されているパラメータを取得し、それに基づき環境を得る。既設機が１台しかないのであれば、ステップＳ２０３での処理はスキップする。また、更なる既設機があるのであれば、その既設機からパラメータを取得し、それに基づき環境を得る。
【００７９】
ステップＳ２０５において、既設機から得られた環境のうちの重なり合う部分を選ぶ。唯一の環境が得られるのであれば選ばれた環境を設置環境と推定し、その環境に対応するパラメータを設定する。
【００８０】
唯一の環境が得られず、ある程度の広がりをもった環境しか得られないのであれば、デフォルトに近い環境を設定する。
【００８１】
［変形例１］
【００８２】
上述の実施の形態においては、環境とパラメータとがテーブルとして記録されている場合を説明した。本発明は、環境とパラメータとの関係が近似式で登録されている場合にも、適用することが可能である。
【００８３】
たとえば既設機における環境とパラメータとの近似式が、下記式１で表され、新設機における環境とパラメータとの近似式が、下記式２で表される場合を想定する。
【００８４】
Ｙ ＝ ａｘ ＋ ｂ   ［Ｙ：パラメータ、ｘ:環境値、ａ,ｂ：常数］  ・・・  式１
【００８５】
Ｋ ＝ ｃｘ ＋ ｄ   ［Ｋ：パラメータ、ｘ:環境値、ｃ,ｄ：常数］  ・・・  式２
【００８６】
ここで、環境値ｘは両機共通であることから、求めるべき新設機のパラメータＫは、下記式３により求められる。
【００８７】
Ｋ＝ ｃ・（Ｙ − ｂ）／ａ  ＋  ｄ    ・・・・・・・・・・・・・・・  式３
【００８８】
式３を用いれば、既設機と新設機のパラメータ近似式と既設機のパラメータ設定値より、新設機のパラメータを算出することができる。
【００８９】
［変形例２］
【００９０】
図８は、図４のパラメータの最適化処理（Ｓ１０７）の変形例で使用する近親機種リストの具体例を示す図である。
【００９１】
このリストは、自社機に複数のモデルが存在する場合に、どのモデルが近い特性を有するものであるかを定めたリストである。
【００９２】
本リストを用いることで、ネットワーク上に機種の異なる複数の自社製の既設機が存在する場合、取得した複数のパラメータから、優先的に選択すべきパラメータを判別することができる。判別された優先的に選択すべきパラメータが自機のパラメータとして採用される。
【００９３】
具体的には、ネットワーク上において、機種が異なる複数の自社機が検出された場合、それぞれの機種情報を入手することで、既設機の機種を特定する。特定した機種を図８の近親機種リストと照らし合わせ、自機の特性に近いモデルを１台または複数台選定する。
【００９４】
すなわち、図８で示される親近機種リストを新設装置内にあらかじめ格納しておき、この親近機種リストにおいて、近親順序が小さい機種のパラメータを最適化するパラメータとして選択する。
【００９５】
入手したパラメータを図５〜７で説明した方法で最適化した後、自機のパラメータとして設定、記憶させる。
【００９６】
本変形例は、自機に近い設計の機種のパラメータの方が、構造の異なる機種のパラメータより、誤差が少ないとの判断に基づくものである。
【００９７】
また、近親機種のパラメータを選択する方法の他、パラメータの設定された日時が最も新しい機種のパラメータを優先的に採用することとしてもよい。この方法でも、ネットワーク上の複数の既設機から、所望の装置を選定する事が可能である。この判定方法は、パラメータが設定された日時が新しいほど、現実の環境と一致する確からしさが高いとの判断に基づくものである。
【００９８】
また応用として、パラメータ最適化の際の確からしさを向上させるため、図５〜７で説明した複数機種のパラメータ情報に基づくパラメータの最適化方法に、近親機種の優先度（図８）やパラメータの設定日付による優先度判定を組み合わせてもよい。
【００９９】
［変形例３］
【０１００】
上述の実施の形態においては、自動でパラメータを設定することとしたが、既設機の設定に基づいて候補として挙げられた複数の設定値（設定値候補）を操作パネル等に表示して、ユーザに選択させても良い。
【０１０１】
パラメータが画像に影響するものであれば、ユーザは候補の設定値の中から設定値を選び、試し印刷等を実行する。ユーザは、このような試し印刷を複数の設定値候補を用いて実行し、好みの画像が得られる設定を選択すればよい。ユーザに設定値を選択させる方法においても、設定値候補を提示することにより、ユーザ設定のわずらわしさを軽減することができる。
【０１０２】
図９は、変形例３における画像形成装置の実行する制御を示すフローチャートである。
【０１０３】
これは、ユーザにパラメータを通知し、採用可否を選択させるものである。
【０１０４】
図９のステップＳ３０１〜Ｓ３０７、Ｓ３１３、およびＳ３１５は、図４のステップＳ１０１〜Ｓ１０７、Ｓ１０９、およびＳ１１１での処理と同じであるためここでの説明を繰り返さない。
【０１０５】
ステップＳ３０９において、最適化にて抽出されたパラメータを装置の操作パネル等を用いてユーザに通知し、パラメータを変更するか否かの入力を受け付ける。
【０１０６】
このとき、通知するパラメータはひとつであってもよいし、複数の候補を通知してもよい。複数の候補を通知する場合は、パラメータのユーザによる選択を受け付ける。
【０１０７】
ステップＳ３１１においては、ユーザのパラメータの採用、選択、非採用を受けて分岐処理を実行する。採用および選択の場合はステップＳ３１３で、最適化にて抽出されたパラメータを設定し、記憶する。設定完了にて本制御を終了する。
【０１０８】
ステップＳ３１１で非採用の場合は、パラメータの変更をせずに処理を終了する。
【０１０９】
［変形例４］
【０１１０】
変形例４においては、ネットワーク上に既設されている複数の自社機のうち、特定の装置の設定パラメータが変更された場合に、その変更情報を他の自社機が入手して自機の設定パラメータを自動で更新する。
【０１１１】
図１０は、変形例４における画像形成装置の実行する制御を示すフローチャートである。
【０１１２】
ステップＳ４０１において、ネットワーク環境に接続されている状態で、自社機の電源が投入された場合、ステップＳ４０３において、当該装置は、ネットワーク上の通信可能な自社機の有無を検出する。
【０１１３】
ネット上に既設の自社機が存在しない場合（Ｓ４０３でＮＯ）は、更新の必要なしと判断し処理を終了する。既設の自社機を検出できた場合（Ｓ４０３でＹＥＳ）は、ステップＳ４０５へ移行する。
【０１１４】
ステップＳ４０５において、少なくとも１台以上の既設の自社機と通信を行ない、設定パラメータが変更された装置の有無を検出する。設定パラメータが更新された装置がない場合（Ｓ４０５でＮＯ）は、更新の必要なしと判断し処理を終了する。
【０１１５】
設定パラメータが更新された装置が検出された場合（Ｓ４０５でＹＥＳ）は、ステップＳ４０７へ移行する。
【０１１６】
ステップＳ４０７において、パラメータが変更された自社機と通信を行ない、所望の設定パラメータを取得する。取得するパラメータとしては、例えば、高地対応設定パラメータや、フリッカ処理パラメータ等がある。パラメータを取得したらステップＳ４０９へ移行する。
【０１１７】
ステップＳ４０９において、パラメータの最適化を実施する。パラメータの最適化処理については図５〜７や変形例で説明したものを採用することができる。パラメータの最適化が完了したら、ステップＳ４１１へ移行する。
【０１１８】
ステップＳ４１１において、最適化にて抽出されたパラメータを更新して設定し、記憶する。設定完了にて本制御を終了する。
【０１１９】
本変形例によると、装置を新設した場合、または設置後に特定機の設定パラメータが変更された場合、他の自社の画像形成装置のパラメータを取得、分析、最適化し、自機のパラメータとして自動設定することが可能となる。ユーザの手動によるパラメータ設定の煩わしさが解消されるとともに、ユーザが意識することなく設定漏れを防止し、最適な画像形成条件の設定をすることが可能となる。
【０１２０】
また、設定を変更された装置が別機種へ変更をアナウンスする機能、または他機の環境パラメータの変更を監視する機能を画像形成装置に備えることとしてもよい。このようにすると、設置時以外のタイミングでもパラメータの自動設定変更が可能となる。
【０１２１】
［実施の形態における効果］
【０１２２】
以上のように、実施の形態における画像形成装置は、ＬＡＮ等の装置間ネットワークで接続された機種の異なる自社画像形成装置を探索または指定し、高地対応設定、フリッカ（消費電流の揺らぎ）設定などのユーザもしくはサービスマンが設定する情報を既存の別装置から入手し、入手したパラメータを分析し、最適化し、自機のパラメータとして自動設定することができる。
【０１２３】
装置を新設したときに、装置が自動でパラメータを設定することにより、設定の煩わしさが解消されるとともに、ユーザが意識することなく設定漏れを防止し、最適な条件の設定をすることが可能となる。
【０１２４】
また、設置後にＬＡＮで接続された他の自社機の設定情報が更新された場合にも、装置が自動でパラメータを再設定することとすると、ユーザによる再設定の煩わしさが解消されるとともに、ユーザが意識することなく設定漏れを防止し、最適な画像設定をすることが可能となる。
【０１２５】
［その他］
【０１２６】
本発明はＭＦＰ、ファクシミリ装置、複写機などの画像形成装置に対して実施することができる。
【０１２７】
また、上述の実施の形態における処理は、ソフトウエアによって行なっても、ハードウエア回路を用いて行なってもよい。
【０１２８】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１２９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３０】
【図１】本発明の実施の形態の１つにおける画像形成装置の構成を示す図である。
【図２】ネットワーク上に画像形成装置が複数配置されている状態を示す図である。
【図３】画像形成装置の制御装置のブロック図である。
【図４】画像形成装置の実行する制御を示すフローチャートである。
【図５】図４のパラメータの最適化処理（Ｓ１０７）の具体例を説明するための図である。
【図６】図５の環境とパラメータとの関係を纏めたグラフを示す図である
【図７】図４のパラメータの最適化処理（Ｓ１０７）の具体例を説明するためのフローチャートである。
【図８】図４のパラメータの最適化処理（Ｓ１０７）の変形例で使用する近親機種リストの具体例を示す図である。
【図９】変形例３における画像形成装置の実行する制御を示すフローチャートである。
【図１０】変形例４における画像形成装置の実行する制御を示すフローチャートである。
【符号の説明】
【０１３１】
１  画像入力部（スキャナ）、２  画像出力部（プリンタ）、３  画像メモリ部、４  操作／表示部、５  圧縮／復号部、６  メーラ、７  制御部、８  ＲＯＭ、９  ワークメモリ、１０  通信部、１１  外部インターフェイス部、１２  ファイル変換部、１３  ユーザ認証部。
【図１】
0004985190.tif 000002
【図２】
0004985190.tif 000003
【図３】
0004985190.tif 000004
【図４】
0004985190.tif 000005
【図５】
0004985190.tif 000006
【図６】
0004985190.tif 000007
【図７】
0004985190.tif 000008
【図８】
0004985190.tif 000009
【図９】
0004985190.tif 000010
【図１０】
0004985190.tif 000011